(57)【特許請求の範囲】
【請求項１】
遊技者の操作により発射された遊技球を遊技領域へ誘導するための球通路部を形成する内レール部と外レール部とを、遊技盤に備え、
前記内レール部の先端部近傍に、前記球通路部から前記遊技領域へ流入した遊技球が前記球通路部に戻るのを規制する規制部材を備えたパチンコ遊技機において、
前記規制部材は、前面側に、前記内レール部の延設方向を長手方向として延びる表示板部を備え、
前記内レール部は、略円弧状に湾曲して前記遊技盤に配され、
前記規制部材は、前記表示板部の一端側に設けられた第１取付部と、前記表示板部の他端側に設けられた第２取付部とを備え、
前記第１取付部は、前記内レール部の先端部近傍に取り付けられ、
前記第２取付部は、前記内レール部に取り付けられ、
前記表示板部は、所定の情報を表示するとともに、前記第１取付部に対する前記第２取付部の位置を変位させることが可能な変形部を備えていることを特徴とするパチンコ遊技機。
【発明の詳細な説明】
【技術分野】
【０００１】
本発明は、パチンコ遊技機、特に、遊技領域へ流入した遊技球が球通路部に戻るのを規制する規制部材に、所定の情報を表示する表示板部を備えるパチンコ遊技機に関する。
【背景技術】
【０００２】
従来より、遊技領域へ流入した遊技球が球通路部に戻るのを規制する規制部材に、所定の情報を表示する表示板部を備えるパチンコ遊技機として、下記特許文献１に記載の遊技機が知られている。下記特許文献１に記載の遊技機では、規制部材の前面に、遊技機の性能に関する情報を表示するスペックシールが貼付された表示板部を備えている。
【先行技術文献】
【特許文献】
【０００３】
【特許文献１】特開２００２−８１５号公報
【発明の概要】
【発明が解決しようとする課題】
【０００４】
しかしながら、上記文献に記載の規制部材では、表示板部が、内レール部を基準として遊技領域側へ大きく突出しているため、遊技機を正面から視認した場合に、表示板部により覆われる遊技領域の面積が大きく、遊技機の意匠性を低下させやすい。また、近年のようにセンター役物装置が遊技領域の大部分を占める遊技機では、規制部材とセンター役物装置との間の遊技領域は非常に小さいため、表示板部により遊技領域の前方が大きく覆われると、遊技領域を流下する遊技球が表示板部に隠れて視認できない場合も生じ得る。
【０００５】
そこで、本発明は上記事情に鑑み、表示板部が設けられた規制部材を備える遊技機であっても、内レール部の先端部近傍の遊技領域において、遊技球が良好に視認され得る遊技機とすることを目的とする。
【課題を解決するための手段】
【０００６】
本発明のパチンコ遊技機は、遊技者の操作により発射された遊技球を遊技領域へ誘導するための球通路部を形成する内レール部と外レール部とを、遊技盤に備え、前記内レール部の先端部近傍に、前記球通路部から前記遊技領域へ流入した遊技球が前記球通路部に戻るのを規制する規制部材を備えたパチンコ遊技機において、前記規制部材は、前面側に、前記内レール部の延設方向を長手方向として延びる表示板部を備え、前記内レール部は、略円弧状に湾曲して前記遊技盤に配され、前記規制部材は、前記表示板部の一端側に設けられた第１取付部と、前記表示板部の他端側に設けられた第２取付部とを備え、前記第１取付部は、前記内レール部の先端部近傍に取り付けられ、前記第２取付部は、前記内レール部に取り付けられ、前記表示板部は、所定の情報を表示するとともに、前記第１取付部に対する前記第２取付部の位置を変位させることが可能な変形部を備えていることを特徴とする。
【発明の効果】
【０００９】
本発明によれば、表示板部が内レール部の延設方向を長手方向として延びているので、内レール部の先端部近傍の遊技領域が表示板部により覆われにくい。よって、内レール部の先端部近傍の遊技領域を流下する遊技球の良好な視認が確保できる。
【図面の簡単な説明】
【００１０】
【図１】本発明の実施形態のパチンコ遊技機の正面図である。
【図２】同実施形態のパチンコ遊技機におけるバックストップ（規制部材）近傍を示す正面図である。
【図３】同実施形態のパチンコ遊技機が備えるバックストップの分解斜視図である。
【図４】バックストップの内レール部への取り付けを示す斜視図であり、（ａ）は第１取付部の取り付けを示し、（ｂ）は第２取付部の取り付けを示す。
【図５】内レール部に取り付けられたバックストップを示す斜視図であり、（ａ）は前方側からみた状態を示し、（ｂ）は後方側からみた状態を示す。
【図６】（ａ）及び（ｂ）は、内レール部に対して第１取付部を取り付けた後であって第２取付部を取り付ける前の状態のバックストップを示す正面図であり、（ｃ）は、第２取付部を取り付けた後の状態のバックストップを示す正面図である。
【図７】変更例に係るバックストップの内レール部への取り付けを示す斜視図である。
【図８】同変更例に係るバックストップを示す正面図である。
【図９】実施形態のパチンコ遊技機におけるバックストップ近傍の正面図であり、遊技球が遊技領域を流下しているのを示す図である。
【図１０】図９に示すＸ−Ｘ線の断面図である。
【図１１】他の変更例に係るバックストップを示す斜視図である。
【図１２】（ａ）さらに他の変更例に係るバックストップを示す正面図、（ｂ）さらに他の変更例に係るバックストップを示す正面図である。
【図１３】さらに他の変更例に係るバックストップを示す斜視図である。
【図１４】さらに他の変更例に係るバックストップを示す斜視図である。
【図１５】さらに他の変更例に係るバックストップを示す斜視図である。
【発明を実施するための形態】
【００１１】
１．実施形態
本発明の実施形態に係るパチンコ遊技機について、図面に基づいて説明する。図１に示すように、実施形態のパチンコ遊技機１は、開閉可能な前面枠１０を備え、前面枠１０の内側には、遊技盤２が配されている。前面枠１０には遊技に使用する遊技球を貯留しておく球受け皿６が設けられている。球受け皿６は、図示しない賞球払出装置から払い出された賞球を含む遊技球を一時貯留すると共に、遊技球を整列状態として球送り装置（図示せず）に送る流路となる。また、前面枠１０の右下部には遊技球を発射させるためのハンドル１１が設けられている。その他、前面枠１０には、複数の枠ランプ１７及びスピーカ１８が配設されている。
【００１２】
遊技盤２には、ハンドル１１の操作により発射された遊技球が流下する遊技領域３が、レール部材１２で囲まれて形成されている。レール部材１２は、図２に示すように、外レール部（外側ガイドレール）５６と内レール部（内側ガイドレール）５７とを備えている。外レール部５６と内レール部５７とは、遊技領域３の内外方向に所定の間隔をおいて、正面から見て円弧状に曲げられて遊技盤２の前面に配されている。外レール部５６と内レール部５７との間は、ハンドル１１操作により発射された遊技球を遊技領域３の上流部３ｃに案内する球通路部５８となっている。内レール部５７には、後述するバックストップ６０が取り付けられている。また、図１に示すように、遊技盤２には、盤ランプ１９が設けられている。また、遊技領域３には、遊技球を誘導する案内釘（図示せず）が多数突設されている。
【００１３】
ここで、本明細書中、上下方向および左右方向は、図１に示す遊技盤２の表面側（遊技領域３側）を基準とし、また、前後方向は、遊技盤２の表面側（遊技領域３側）を前方とし、遊技盤２の裏面側を後方とする。また、内外方向とは、略円形状の遊技領域３の中心に向かう方向を内方とし、遊技領域３の中心から遊技領域３の外へ向かう方向を外方として定めるものとする。
【００１４】
図１に示すように、遊技領域３には、液晶表示装置である画像表示器４の表示部４ａが配置されている。画像表示器４は、客待ち用のデモ表示、装飾図柄変動演出、大当たり遊技に並行して行われる大当たり演出などを表示部４ａに表示する。装飾図柄変動演出は、数字等の装飾図柄と装飾図柄以外の演出画像とにより構成されて、変動表示を経て停止表示された装飾図柄により、大当たり抽選（即ち、大当たり乱数の取得とその大当たり乱数を用いた判定）の結果を報知する演出である。この装飾図柄変動演出は、特別図柄変動に並行して行われる。また、大当たり抽選は、遊技球の第１始動口５１ａまたは第２始動口５１ｂへの入賞に対して行われる。
【００１５】
遊技領域３の中央部であって画像表示器４の前方には、センター役物装置３０が配置されている。センター役物装置３０は、表示部４ａの周縁部前方に配設された枠体部３１を備えている。枠体部３１の左部には、入口から遊技球を流入させ、出口から後述するステージ部４１へ遊技球を流出するワープ部４０が配設されている。枠体部３１の下部には、上面を転動する遊技球を、第１始動口５１ａへと案内可能なステージ部４１が形成されている。
【００１６】
遊技領域３の左右方向における中央下部には、第１始動入賞装置５ａが設けられている。第１始動入賞装置５ａは、遊技球の入球し易さが常時変わらない第１始動口５１ａを備えている。第１始動口５１ａへは、遊技領域３の左部３ａを流下するように遊技球を打ち込むことにより、遊技球を入賞（入球）させる。
【００１７】
第１始動入賞装置５ａの右方には、電動チューリップ（以下、「電チュー」という。）５２により開閉される第２始動口５１ｂを備えた第２始動入賞装置５ｂが設けられている。電チュー５２は、電チューソレノイド（図示せず）により駆動される。第２始動口５１ｂは、電チュー５２が開いているときのみ遊技球が入賞可能となる。第２始動口５１ｂへは、遊技領域３の右部３ｂを流下するように遊技球を打ち込むこと（いわゆる右打ち）により、遊技球を入賞させる。
【００１８】
第２始動入賞装置５ｂの下方には、大入賞装置７が設けられている。大入賞装置７は、大入賞口７１と、大入賞口ソレノイド（図示せず）により動作する開閉部材７３とを備えている。大入賞口７１は、開閉部材７３により開閉される。大入賞口７１へは、右打ちにより遊技球を入賞させる。
【００１９】
また、遊技領域３には、複数の普通入賞装置９及び遊技球が通過可能なゲート８が設けられている。各普通入賞装置９は、第１始動入賞装置５ａの左方に配置されている。各普通入賞装置９に入った遊技球は、その普通入賞装置９内の普通入賞口９０に入賞する。ゲート８は、第２始動入賞装置５ｂの右方に配置されている。普通入賞口９０へは、遊技領域３の左部３ａを流下するように遊技球を打ち込むことにより、遊技球を入賞させ、ゲート８へは、右打ちにより遊技球を通過させる。
【００２０】
遊技領域３の外側には、普通図柄表示器１３、第１特別図柄表示器１４ａ、及び、第２特別図柄表示器１４ｂが設けられるとともに、普通図柄保留ランプ１５、第１特別図柄保留ランプ１６ａ、第２特別図柄保留ランプ１６ｂがそれぞれ４つ設けられている。
【００２１】
第１特別図柄表示器１４ａ、第２特別図柄表示器１４ｂは、それぞれ、遊技球の第１始動口５１ａ、第２始動口５１ｂへの入賞を契機として行われる大当たり抽選の結果を、変動表示を経て停止表示された図柄（特別図柄）により報知する（これを「特別図柄変動」という）ものである。第１特別図柄表示器１４ａ、第２特別図柄表示器１４ｂに停止表示された図柄（特別図柄）が大当たり図柄又は小当たり図柄であれば、大入賞口７１を所定回数開閉する当たり遊技が行われる。
【００２２】
特別図柄の変動表示中または当たり遊技中に、遊技球が第１始動口５１ａまたは第２始動口５１ｂに入賞すると、メイン制御基板（図示せず）は、その入賞に対して取得した大当たり乱数等の乱数を、第１始動口５１ａへの入賞であれば第１保留記憶部（図示せず）に、第２始動口５１ｂへの入賞であれば第２保留記憶部（図示せず）に、保留記憶として記憶する。そして、特別図柄変動を実行可能になったときに、記憶しておいた保留記憶に基づいて大当たりか否かの判定を行い、特別図柄変動を実行する。なお、メイン制御基板は、大当たりの抽選や遊技状態の移行など主に利益に関わる制御を行うものであり、ＣＰＵ、ＲＯＭ、ＲＡＭ等を備えて構成され、ＲＡＭ内に、第１保留記憶部及び第２保留記憶部を有している。
【００２３】
第１特別図柄保留ランプ１６ａ、第２特別図柄保留ランプ１６ｂは、それぞれ、第１保留記憶部、第２保留記憶部に記憶されている保留記憶の個数を表示するものである。なお、第１保留記憶部、第２保留記憶部に記憶される保留記憶の個数は、それぞれ４個が上限とされているため、第１保留記憶部に４個の保留記憶がある状態で遊技球が第１始動口５１ａに入賞したときや、第２保留記憶部に４個の保留記憶がある状態で遊技球が第２始動口５１ｂに入賞したときは、その入賞に対して大当たり乱数等の乱数は取得されない。
【００２４】
普通図柄表示器１３は、ゲート８への遊技球の通過を契機として行われる普通図柄抽選の結果を、変動表示を経て停止表示される普通図柄により報知するものである。停止表示された普通図柄が当たり図柄であれば、所定時間及び所定回数、電チュー５２を開く補助遊技が行われる。
【００２５】
普通図柄の変動表示中または補助遊技中に、遊技球がゲート８を通過すると、メイン制御基板は、その通過に対して取得した当たり乱数を記憶する。そして、普通図柄の変動表示を開始可能な状態になったときに、記憶しておいた当たり乱数を用いて当たりか否かの判定を行い、普通図柄の変動表示を開始して、その判定結果を示す普通図柄を停止表示する。普通図柄保留ランプ１５は、このように記憶されている当たり乱数の個数を表示するものである。なお、記憶される当たり乱数は４個が上限とされているため、４個の当たり乱数が記憶されている状態で遊技球がゲート８を通過しても、その通過に対する当たり乱数の取得は行われない。
【００２６】
図２に示すように、実施形態のパチンコ遊技機１では、レール部材１２は、前後方向の長さ寸法Ｌ１（図４（ａ）参照）を約１８ｍｍとする長尺状の板金（ステンレス鋼）とされ、正面から見て円弧状に曲げられて遊技盤２に配されて固定されている。遊技盤２の左部において、レール部材１２は、外レール部５６と内レール部５７とから構成されている。外レール部５６と内レール部５７との間は、遊技者のハンドル１１操作により遊技領域３の下方に位置する球受け皿６内から発射された遊技球を、遊技領域３の上流部３ｃに誘導するための球通路部５８となっている。遊技者のハンドル１１操作により発射された遊技球は、球通路部５８を外レール部５６に沿って転動して、遊技領域３の上流部３ｃへ至る（図９参照）。内レール部５７の先端部（上端部ともいう）５７ａには、発射されて遊技領域３に至った遊技球が球通路部５８に逆流するのを防止するためのバックストップ６０が取り付けられている。
【００２７】
バックストップ６０は、図３に示すように、揺動部材６１と、揺動部材６１が軸支されるハウジング部材６７とを備えている。ハウジング部材６７は、揺動部材６１の揺動を許容しつつ揺動部材６１を収納可能な収納部７７を上部側に有し、かつ、内レール部５７の先端部５７ａに対してバックストップ６０を取り着けるための第１取付部６８を下部側に有する。第１取付部６８は、開口６８ａを有し、開口６８ａに内レール部５７の先端部５７ａを挿通させて嵌合させることにより、バックストップ６０を、内レール部５７の先端部５７ａに対して固着させる（図４（ａ）参照）。
【００２８】
収納部７７は、互いに平行に配された後壁部７８（遊技盤２に近い側の壁部）及び前壁部７９（遊技盤２から遠い側の壁部）を備える。後壁部７８及び前壁部７９の各内面には、それぞれ軸受部８２ａ,８２ｂが設けられている。この一対の軸受部８２ａ,８２ｂは、遊技盤２の表面に対し垂直に配される支持軸８３を保持する。支持軸８３には、揺動部材６１が回動自在に嵌められる。
【００２９】
揺動部材６１は、支持軸８３を挿通させ支持軸８３回りに回動可能な回動部６２と、回動部６２から外レール部５６に接近する方向に延びる薄板状の弁部６３と、回動部６２から弁部６３とは反対側に延びる錘部６５とを備えて構成される。錘部６５は、弁部６３より重く、揺動部材６１を原位置（図２に示す位置）に保持したり、球通路部５８を通過する遊技球が弁部６３に当たることにより揺動した揺動部材６１を原位置（図２に示す位置）に復帰させたりする作用を発揮する。揺動部材６１が原位置に戻るとき又は戻ったときにおいては、遊技領域３に入った遊技球が遊技釘等によって跳ね返されて弁部６３に当たっても、収納部７７（ハウジング部材６７）により錘部６５の移動が規制されるので揺動部材６１は支持軸８３を中心として揺動することができず、遊技球の球通路部５８への逆流は阻止される。なお、原位置では、錘部６５は、ハウジング部材６７に設けられた収納部７７内に収納され、収納部７７の側壁部８０に当接している。また、原位置において、弁部６３の先端と外レール部５６との間の距離は、遊技球の直径よりも小さく設定されている。
【００３０】
また、バックストップ６０は、前面側に、合成樹脂製の表示板部８５を備えている。表示板部８５は、前壁部７９の前面側から延設されており、前後方向を薄肉として内レール部５７に沿って延びる薄板形状とされている。詳しく述べれば、表示板部８５は、正面から見て、遊技領域３の内外方向を短手方向としており、内レール部５７に沿う方向を長手方向として延びている、すなわち、正面から見て円弧状に湾曲して遊技盤２に配されている内レール部５７と略同じ曲率で湾曲するように延びている。内レール部５７を基準とした遊技領域３への突出長さＬ２（図９参照）は、遊技球の直径である１１ｍｍより小さく５ｍｍ程度とされている。また、表示板部８５の前後方向の長さ寸法は、図１０に示すように前面枠１０が備えるガラス板４５の後面４５ａと、表示板部８５の前面８５ａとが接触しない程度に設定されている。なお、ガラス板４５は、遊技領域３の前方に配されて、ガラス板４５越しに遊技領域３を視認可能にするものである。
【００３１】
図３に示すように、表示板部８５の前面８５ａには、スペックシール９２が貼付される。スペックシール９２には、各入賞口５１ａ，５１ｂ，７１，９０に遊技球が入賞した際の賞球数、パチンコ遊技機１の機種名、通常遊技状態（低確遊技状態）における大当たり確率、確変割合、が記載されている。確変割合とは、当選した大当たりがその大当たり遊技後の遊技状態を通常遊技状態よりも大当たり確立の高い確変遊技状態へ移行させる大当たりである確率である。なお、これらのような遊技機に関する情報が、「所定の情報」に相当する。
【００３２】
具体的には、「１５＆１０＆３」との賞球数の表示は、大入賞口７１への入賞に対する賞球数が１５個で、普通入賞口９０への入賞に対する賞球数が１０個で、第１始動口５１ａおよび第２始動口５１ｂへの入賞に対する賞球数が３個であることを示している。
【００３３】
また、「低確率１／１９８．６」との低確率の表示は、通常遊技状態（低確率遊技状態）での大当たり確率が、１／１９８．６であることを示している。
【００３４】
また、「確変割合２００／２００」との確変割合の表示は、大当たりに当選した場合に、その大当たりが、大当たり遊技終了後の遊技状態を通常遊技状態より大当たり確率の高い確変遊技状態に移行させる大当たりである割合が、２００／２００であることを示している。
【００３５】
また、「ＣＲ○○○○」との遊技機の機種名の表示は、この遊技機の機種名が、「ＣＲ○○○○」であることを示している。なお、近年では、この機種名の表示の文字数が多い遊技機が増えている。機種名の表示の文字数が多くなると、その分、所定の情報を表示するためのスペースを大きくとる必要が生じる。実施形態のパチンコ遊技機１のように、内レール部５７の先端部５７ａから内レール部５７の延設方向に沿って延びる表示板部８５を備えている場合、機種名の表示の文字数が多くなっても、表示板部８５を内レール部５７の延設方向に沿ってさらに延ばして形成するだけで、所定の情報を表示するスペースを容易に確保することができる。
【００３６】
また、このスペックシール９２は、背景部分を黒色とし、「１５＆１０＆３」などの文字部分を赤色としている。これは遊技者に文字をはっきり視認させ、所定の情報の表示を見やすくするためである。すなわち、遊技者に対して所定の情報を見易く表示する点からは、スペックシール９２の背景部分や文字部分は、無色透明又は有色透明とするよりも、非透明とすることが望ましい。
【００３７】
また、図３に示すように、表示板部８５の裏面８５ｂには、内外方向の略中央に、第２取付部８７が設けられている。第２取付部８７は、表示板部８５の下端部８５ｃ側（他端側に相当する）に設けられて、前方から内レール部５７に対して取り付けられるものであり、内レール部５７を厚さ方向（内外方向）で挟持することにより、バックストップ６０を内レール部５７に対して取り付け固定するものである。なお、第１取付部６８は、表示板部８５の上端部８５ｄ側（一端側に相当する）に設けられている、言い換えれば、表示板部８５における第２取付部８７が設けられている側の端部（下端部８５ｃ）とは反対側の端部（上端部８５ｄ）側に設けられている。また、表示板部８５の上端は、前壁部７９の上端と上下方向においてほぼ一致した位置にある。
【００３８】
次に、バックストップ６０の内レール部５７への取り付けについて説明する。まず、図４（ａ）に示すように、内レール部５７の先端部５７ａに設けられた係合部５９に対して、下方に向かって開口している第１取付部６８を挿入する。挿入すると、係合部５９の係合孔５９ａに第１取付部６８に設けられた係合爪６９の係合突起６９ａが係合する。これにより、バックストップ６０が内レール部５７から容易にはずれるのが規制される。この状態が、図４（ｂ）に示す状態である。なお、第１取付部６８を挿入する際は、バックストップ６０を、内レール部５７の延設方向に沿って、右上から左下に向かって移動させる（図４（a）の矢印ａ参照）。
【００３９】
ここで、図４（a）に示す状態から図４（ｂ）に示す状態にする際、すなわち、第１取付部６８を内レール部５７に取り付ける際、表示板部８５の裏面８５ｂから後方へ向かって突出している第２取付部８７が内レール部５７と干渉してしまうことがある（図４（ａ）二点鎖線参照）。言い換えれば、第２取付部８７が第１取付部６８を取り付ける際の邪魔となることがある。そこで、第１取付部６８を内レール部５７に取り付ける際は、図４（ａ）に実線で示すように、表示板部８５の下端部８５ｃを前方へ撓ませて、第２取付部８７が内レール部５７と干渉するのを避けてから（図４（a）の矢印ｂ参照）、第１取付部６８を内レール部５７に取り付ける。これにより、第２取付部８７が第１取付部６８を取り付ける際に邪魔となるのを防止することができる。ここで、表示板部８５における第２取付部８７が設けられている位置と第１取付部６８が設けられている位置との間の弾性変形可能な部分（図４（a）にトーンを付して示した部分）を、弾性変形部（変形部に相当する）８６という。弾性変形部８６は、このように第２取付部８７の第１取付部６８に対する位置を変化させることを可能にし、第１取付部６８を内レール部５７に取り付ける際に第２取付部８７が内レール部５７と干渉するのを防止する効果を発揮する。
【００４０】
第１取付部６８を内レール部５７に取り付けた後は、図４（ｂ）に示すように、弾性変形部８６を変形前の状態に戻して、第２取付部８７を前方から後方へ向かって移動させ（図４（ｂ）の矢印ｃ参照）、第２取付部８７を内レール部５７に対して取り付ける（図４（ｂ）二点鎖線参照）。これにより、内レール部５７は第２取付部８７によって挟持され、バックストップ６０の内レール部５７への取り付けが完了する。この状態が、図５（ａ），（ｂ）に示す状態である。
【００４１】
ここで、図４（ｂ）に示す状態、すなわち、第１取付部６８を取り付けた後第２取付部８７を取り付けていない状態では、表示板部８５は、図６（ａ）に示すように内レール部５７を基準として外レール部５６側に片寄っていたり、図６（ｂ）に示すように内レール部５７を基準として遊技領域３側に片寄っていたりすることがある。これは、表示板部８５の内外方向の長さ寸法Ｌ３（図６（ｃ）参照）が１０ｍｍ程度と短く表示板部８５が内外方向に撓むことがあるためである。そこで、実施形態のパチンコ遊技機１では、第２取付部８７を内レール部５７に対して取り付けることにより、表示板部８５の配置位置を調整し、表示板部８５の内外方向の中央部が、円弧状に湾曲した内レール部５７の前端部に沿って配されるようにしている。すなわち、表示板部８５が、図６の（ａ）又は（ｂ）に示す状態ではなく図６の（ｃ）に示す状態で配されるようにしている。このような第２取付部８７の取り付けにより、バックストップ６０が内レール部５７に対して安定して取り付けられるとともに、表示板部８５を湾曲した内レール部５７に沿ってきれいに配置させることが可能となっている。
【００４２】
この点についてさらに詳しく述べる。実施形態のパチンコ遊技機１では、所定の情報を示す文字を２行で表示したスペックシール９２を採用し、このスペックシール９２の形状に合わせて表示板部８５を構成したが、図７，８に示す変形例のように、所定の情報を示す文字を１行で表示したスペックシール９２Ａを採用し、このスペックシール９２Ａの形状に合わせてバックスストップ６０Ａの表示板部８５Ａを構成した場合には、表示板部８５Ａの長手方向の長さは、上下方向において表示部４ａの中央位置を越える程度まで長くなり（図８参照）、表示板部８５Ａの短手方向の長さ寸法Ｌ４（図７，８参照）は、遊技領域３への突出量が２〜３ｍｍ程度と短くなる。よって、このようなバックストップ６０Ａを内レール部５７へ取り付ける場合は、図６に示す実施形態のバックストップ６０を内レール部５７へ取り付ける場合と比べて、表示板部８５Ａの短手方向の長さ寸法が短い分だけ表示板部８５Ａは内外方向へ撓みやすくなり、図８に二点鎖線で示すように、内レール部５７を基準として外方へ大きくずれたり、内レール部５７を基準として内方へ大きくずれたりしやすくなる。そこで、これを直して図８に実線で示すように表示板部８５Ａを内レール部５７に沿ってきれいに配置するために、第２取付部８７Ａを内レール部５７に対して取り付けることが特に必要となる。なお、このように表示板部８５Ａの長手方向の長さが上下方向でみて表示部４ａの中央位置を越える程度まで長い場合には、表示板部８５Ａを内レール部５７に対してきれいに沿わせるために、表示板部８５Ａの下端部に設けた第２取付部８７Ａを内レール部５７に取り付けるだけでなく、表示板部８５Ａの長手方向の略中央部に第３取付部８８を設けて、第３取付部８８によっても表示板部８５Ａを内レール部５７に対して取り付けることが望ましい。そして、このような場合には、表示板部８５Ａにおける第１取付部６８Ａと第３取付部８８との間に、第３取付部８８の第１取付部６８Ａに対する位置を変えるための弾性変形部８６Ａ（図７にトーンを付して示す）を設けるとともに、表示板部８５Ａにおける第３取付部８８と第２取付部８７Ａとの間に、第２取付部８７Ａの第３取付部８８に対する位置を変えることが可能な弾性変形部８６Ｂ（図７にトーンを付して示す）を設けて、バックストップ６０Ａの取り付け時に第２取付部８７Ａ及び第３取付部８８が内レール部５７に干渉するのを防止できるように構成する。
【００４３】
次に、図９に基づいて、実施形態のバックストップ６０が取り付けられたパチンコ遊技機１において、遊技球が発射された場合について説明する。図９に示すように、球通路部５８を通過した遊技球Ｂは、遊技領域３の上流部３ｃに流入し、遊技領域３を流下していく。このとき、遊技領域３を流下する遊技球Ｂが、表示板部８５の後方を流下することがある。実施形態のパチンコ遊技機１では、遊技球Ｂが表示板部８５の後方に隠れて前方から視認できなくなることがないよう、表示板部８５の遊技領域３への突出長さＬ２（図９，１０参照）を、遊技球の直径未満、すなわち、１１ｍｍ未満としている。したがって、図９に示すように、遊技領域３を流下する遊技球Ｂが表示板部８５の後方を流下しても、遊技球Ｂの一部は必ず前方から視認可能であり、遊技球Ｂの全部が表示板部８５の後方に隠れてしまい、遊技者が確認できなくなることはない。
【００４４】
なお、実施形態のパチンコ遊技機１では、センター役物装置３０の枠体部３１における左上部分の縁と、内レール部５７との離隔距離Ｌ５（図９参照）は、遊技球の直径（１１ｍｍ）の1.5倍から２倍程度とされている。近年ではセンター役物装置が遊技領域の大部分を占める遊技機が多く、センター役物装置の枠体部における左上部分の縁と内レール部との離隔距離を、遊技球の直径（１１ｍｍ）の1.5倍から４倍程度としているものが多い。ここで、実施形態のように離隔距離Ｌ５を遊技球の直径の２倍程度としているパチンコ遊技機１に対して、文字を４行程度にわたって記載したスペックシールを採用し、そのスペックシールの形状に合わせて表示板部を構成した場合、表示板部の内側の縁がセンター役物装置３０の枠体部３１における左上部分の縁に当たり、表示板部とセンター役物装置３０とが一連のデザインのようになってしまい、遊技機の意匠性を阻害してしまうおそれがある。また、センター役物装置３０の枠体部３１の左上部分と内レール部５７との間の遊技領域３が表示板部により覆われて、その遊技領域３を流下する遊技球が正面から見えなくなってしまう。実施形態のパチンコ遊技機１では、表示板部８５を内レール部５７に沿って延びる形状に構成し、表示板部８５の遊技領域３への突出長さＬ２（図９，１０参照）を遊技球の直径未満としているため、このように遊技機の意匠性が阻害されることはなく、遊技領域３を流下する遊技球が正面から見えなくなってしまうこともない。
【００４５】
以上説明したように、実施形態のパチンコ遊技機１は、遊技者の操作により発射された遊技球を遊技領域３へ誘導するための球通路部５８を形成する内レール部５７と外レール部５６とを、遊技盤２に備え、内レール部５７の先端部５７ａ近傍に、球通路部５８から遊技領域３へ流入した遊技球が球通路部５８に戻るのを規制するバックストップ６０（規制部材）を備えている。バックストップ６０は、前面側に、内レール部５７の延設方向を長手方向として延びる表示板部８５を備えている。そしてパチンコ遊技機１は、表示板部８５に、所定の情報を表示している。なお、表示板部８５は、前後方向を薄肉とする略板形状で、正面から見て遊技領域３の内外方向を短手方向とし、内レール部５７の延設方向を長手方向として延びるものである。
【００４６】
実施形態のパチンコ遊技機１によれば、表示板部８５が内レール部５７の延設方向を長手方向として延びているので、内レール部５７の先端部５７ａ近傍の遊技領域３が表示板部８５により覆われにくい（図９参照）。よって、内レール部５７の先端部５７ａ近傍の遊技領域３を流下する遊技球の良好な視認を確保できる。
【００４７】
詳しく述べれば、表示板部８５の内縁がセンター役物装置３０の枠体部３１における左上部分の縁に対して接近しすぎると、内レール部５７とセンター役物装置３０との間の遊技領域３を表示板部８５が覆って、その遊技領域３を流下する遊技球をみえなくしてしまうところ、実施形態のパチンコ遊技機１では、表示板部８５が遊技領域３へ突出する突出量（図９に示すＬ２参照）を遊技球の直径未満に構成し、表示板部８５に表示する情報の量（スペックシール９２に表示する文字の量）にあわせて、内レール部５７に沿う方向に表示板部８５を延設することとしている。よって、表示板部８５が内レール部５７とセンター役物装置３０との間の遊技領域３を覆いすぎることがなく、流下する遊技球の良好な視認を確保することできる。
【００４８】
また、実施形態のパチンコ遊技機１では、バックストップ６０が表示板部８５を備えているため、バックストップ６０を内レール部５７に対して取り付けるだけで、遊技機に関する所定の情報を表示することができる。また、実施形態のパチンコ遊技機１では、異なる機種間に共通の部品であるバックストップに表示板部を設けたため、表示板部８５を含むバックストップ６０を異なる機種間に共通の部品として利用でき、便利である。
【００４９】
また、実施形態のパチンコ遊技機１では、内レール部５７は、略円弧状に湾曲して遊技盤２に配され、バックストップ６０（規制部材）は、表示板部８５の上端部８５ｄ側（一端側）に設けられた第１取付部６８と、表示板部８５の下端部８５ｃ側（他端側）に設けられた第２取付部８７とを備え、第１取付部６８は、内レール部５７の先端部５７ａ（上端部）近傍に取り付けられ、第２取付部８７は、内レール部５７に取り付けられている。
【００５０】
したがって、表示板部８５の上端部８５ｄ側（一端側）が第１取付部６８により固定され、表示板部８５の下端部８５ｃ側（他端側）が第２取付部８７により固定されるため、内レール部５７の延設方向を長手方向として延びる表示板部８５を、略円弧状に湾曲して遊技盤２に配されている内レール部５７に対してきれいに沿わせて配置することができる（図６（ｃ）参照）。具体的には、実施形態のように第２取付部８７が表示板部８５の後面８５ｂの内外方向の中心位置に設けられている場合には、表示板部８５の内外方向の中心が内レール部５７の前端部に略沿うように、バックストップ６０を内レール部５７に対して配置することが可能となる。
【００５１】
また、実施形態のパチンコ遊技機１では、表示板部８５は、第１取付部６８に対する第２取付部８７の位置を変位させることが可能な弾性変形部８６（変形部）を備えている。
【００５２】
したがって、第１取付部６８を内レール部５７の先端部５７ａ近傍に取り付ける際に、第２取付部８７が邪魔になる場合には、弾性変形部８６を変形させて第１取付部６８に対する第２取付部８７の位置を変えることで、第２取付部８７が邪魔になるのを避けることができ、第１取付部６８を容易に取り付けることができる（図４参照）。
【００５３】
この点について詳しく述べれば、実施形態のパチンコ遊技機１では、バックストップ６０（規制部材）は、内レール部５７の先端部５７ａ（上端部）から内レール部５７の延設方向に沿って第１取付部６８を移動させることにより、内レール部５７の先端部５７ａに第１取付部６８を取り付け、表示板部８５の後面８５ｂから後方へ向かって設けられた第２取付部８７を、前方から後方へ向かって移動させることにより、内レール部５７の前端側から内レール部５７に対して第２取付部８７を取り付けるよう構成され、表示板部８５は、第１取付部６８に対する第２取付部８７の位置を少なくとも前方へ変位させることが可能な弾性変形部８６を備えている。
【００５４】
したがって、内レール部５７の先端部５７ａ（上端部）から内レール部５７の延設方向に沿って第１取付部６８を移動させることにより内レール部５７の先端部５７ａに第１取付部６８を取り付ける際に、表示板部８５の後面８５ｂから後方へ向かって設けられた第２取付部８７が内レール部５７と干渉して邪魔になることがあるが、弾性変形部８６を変形させて第１取付部６８に対する第２取付部８７の位置を前方へ変えることで、第１取付部６８の取り付けの際に、第２取付部８７が内レール部５７と干渉するのを避けることができる。なお、第２取付部８７は、第１取付部５７を取り付けた後に弾性変形部８６を変形前の状態に戻しながら、内レール部５７の前端側から内レール部５７に対して取り付けられる。
【００５５】
すなわち、弾性変形部８６（変形部）は、少なくとも第２取付部８７の内レール部５７への取付方向（実施形態では後方）とは反対の方向（実施形態では前方）へ第２取付部８７を変位させることができるよう構成されているものであり、第１取付部６８の内レール部５７への取付方向（実施形態では内レール部５７の延設方向）と、第２取付部８７の内レール部５７への取付方向（実施形態では前後方向）が異なる場合において、第１取付部６８を取り付ける際第２取付部８７が内レール部５７に干渉するのを避ける効果を発揮するものである。なお、弾性変形部８６（変形部）の変形可能な量は、少なくとも、バックストップ６０を取り付ける際に第２取付部８７が内レール部５７に当たらない程度とされている。
【００５６】
２．変更例
以下、変更例について説明する。なお、変更例の説明において、実施形態のパチンコ遊技機１と同様の構成については、実施形態のパチンコ遊技機１と同様の符号を付して説明を省略する。
【００５７】
（Ａ）
実施形態のパチンコ遊技機１では、表示板部８５は、弾性変形可能な弾性変形部８６を備える構成としたが、変形部は、図１１に示すように、ヒンジ部９７により構成してもよい。具体的に説明すれば、図１１に示す変更例のバックストップ６０Ｂでは、表示板部９４は、上側表示板部９５と下側表示板部９６とを備え、上側表示板部９５と下側表示板部９６とは、ヒンジ部９７により連結されている。下側表示板部９６は、上側表示板部９５に対して、ヒンジ部９７に挿通されている揺動軸９８を揺動中心として揺動可能とされている。下側表示板部９６の後面からは、後方へ向かって第２取付部８７が延設されている。したがって、第１取付部６８を内レール部５７の先端部５７ａ（係合部５９）に取り付ける際に、図１１に実線で示すように、下側表示板部９６を前方に揺動させ、第１取付部６８を取り付けた後で、図１１に二点鎖線で示すように、下側表示板部９６を後方に戻して、第２取付部８７を内レール部５７に取り付けることにより、第１取付部６８の取り付け時に第２取付部８７が内レール部５７に干渉して邪魔になるのを防ぐことができる。なお、この場合、スペックシール９３は、上側表示板部９５の前面に貼付する上側スペックシール９３Ａと、下側表示板部９６の前面に貼付する下側スペックシール９３Ｂとから構成して、上側スペックシール９３Ａに、機種名および確変割合を表示し、下側スペックシール９３Ｂに、賞球数および低確率時の大当たり確率を表示する。
【００５８】
（Ｂ）
また、実施形態のパチンコ遊技機１では、表示板部８５は、短手方向（内外方向）における略中心部が内レール部５７の前端部に沿うように内レール部５７に配置したが、図１２（ａ）に示す変更例のバックストップ６０Ｃのように、表示板部８５が外レール部５６側へ大きく突出するように配置させる、すなわち、表示板部８５の内側の端部が内レール部５７の前端部に略沿うように配置させてもよい。この場合、第２取付部８７は、表示板部８５の裏面８５ｂにおいて内側の端部に設けることとする。また、図１２（ｂ）に示す変更例のバックストップ６０Ｄのように、表示板部８５が遊技領域３側へ大きく突出するように配置させる、すなわち、表示板部８５の外側の端部が内レール部５７の前端部に略沿うように配置させてもよい。この場合、第２取付部８７は、表示板部８５の裏面８５ｂにおいて外側の端部に設けることとする。なお、図１２（ｂ）に示すように変更して構成した場合も、表示板部８５の遊技領域３への突出量が、遊技球Ｂの直径未満となるように構成する。
【００５９】
（Ｃ）
また、実施形態のパチンコ遊技機１では、バックストップ６０は、内レール部５７の先端部５７ａ（上端部）に対して上方から下方へ向かって移動させることにより第１取付部６８を取り付け、内レール部５７に対して前方から後方へ向かって移動させることにより第２取付部８７を取り付けるよう構成したが、図１３に示す変更例のバックストップ６０Ｅのように、内レール部５７の先端部５７ａ（上端部）に対して左方（外側）から右方（内側）へ向かって移動させることにより第１取付部６８Ｅを取り付け、内レール部５７に対して前方から後方へ向かって移動させることにより第２取付部８７を取り付けるよう構成してもよい。すなわち、第１取付部６８Ｅの取付方向を左右方向とし、第２取付部８７の取付方向を前後方向とする構成としてもよい。なお、このバックストップ６０Ｅにおける第１取付部６８Ｅは、図１３にＡ−Ａ線端面図で示すように、係止爪１００，１００により内レール部５７を厚さ方向で挟持する構成とされている。また、バックストップの第１取付部は、図１３に示すバックストップ６０Ｅの第１取付部６８Ｅとは逆方向すなわち、内レール部５７の先端部５７ａ（上端部）に対して右方（内側）から左方（外側）へ向かって移動させることにより内レール部５７に対して取り付ける構成としてもよい。
【００６０】
また、バックストップは、図１４に示す変更例のバックストップ６０Ｆのように、内レール部５７に対して前方から後方へ向かって移動させることにより第１取付部６８Ｆおよび第２取付部８７を取り付けるよう構成してもよい。すなわち、第１取付部６８Ｆおよび第２取付部８７の内レール部５７に対する取付方向を前後方向とする構成としてもよい。このバックストップ６０Ｆにおける第１取付部６８Ｆは、後方および下方に開口して内レール部５７の先端部５７ａを挟持可能に構成されている。なお、図１４に示す変更例のバックストップ６０Ｆでは、第１取付部６８Ｆを取り付ける際に第２取付部８７が内レール部５７と干渉しにくく邪魔になりにくいので、実施形態のバックストップ６０や図１１に示すバックストップ６０Ｂのように、弾性変形部８６やヒンジ部９７といった変形部を表示板部８５Ｆに設ける必要はない。
【００６１】
（Ｄ）
また、実施形態のパチンコ遊技機１では、バックストップ６０は、内レール部５７の先端部５７ａ（上端部）の係合部５９に第１取付部６７を係合させる構成としたが、図１５に示す変更例のバックストップ６０Ｇのように、内レール部５７の先端部５７ａ（上端部）の上端位置にあわせて位置決めされて、遊技盤２に対してビス止めされる構成としてもよい。この場合、ビス１０１，１０１により止められる部分が第１取付部６８Ｇに該当し、第１取付部６８Ｇの取付方向は前後方向となる。またこの場合、第２取付部は、実施形態のバックストップ６０が備える第２取付部８７と同様の構成、すなわち、表示板部の後面から後方へ向かって突出して内レール部５７を挟持する構成としてもよいし、図１５に示すように、表示板部８５Ｇの外側の端部に後方へ向かって延設される延設部１０２を設け、この延設部１０２に、内レール部５７に設けられた被係止部１０３に対して内側面側から係止される係止部１０４を設けて、第２取付部８７Ｇとしてもよい。この第２取付部８７Ｇの取付方向は内外方向である。この第２取付部８７Ｇを備える構成とした場合には、第１取付部６８Ｇの取り付け時に、第２取付部８７Ｇが内レール部５７と干渉するのを防止できるように、表示板部８５Ｇは、内側に撓んで第２取付部８７Ｇの第１取付部６８Ｇに対する位置を変えることが可能な弾性変形部８６Ｇ（図１５にトーンを付して示す部分参照）を備える構成とする。なお、図１５に示すバックストップ６０Ｇの揺動部材６１Ｇは、薄肉の板金とされ、ハンドル１１操作により発射された遊技球が当たることにより撓み、遊技球が遊技領域３に入ると元の状態に復帰して、遊技球が球通路部５８に戻るのを防止するよう構成されている。
【００６２】
（Ｅ）
また、実施形態のパチンコ遊技機１では、表示板部８５の前面８５ａにスペックシール９２を貼付することにより、遊技機に関する所定の情報を表示するよう構成したが、所定の情報を印刷などした樹脂パネルを表示板部に嵌合させる構成や、表示板部８５の前面８５ａに所定の情報を直接印字する構成など、他の構成により表示板部に所定の情報を表示するよう構成してもよい。
【００６３】
また、実施形態のパチンコ遊技機１では、遊技機に関する所定の情報として、「ＣＲ○○○○」により遊技機の機種名を表示し、「１５＆１０＆３」により賞球数を表示し、「確変割合２００／２００」により確変割合を表示し、「低確率１／１９８．６」により低確率時の大当たり確率を表示したが、例えば、遊技機のモチーフに合わせた模様やモチーフのキャラクタの絵などの遊技機を装飾する情報を表示してもよい。また、所定の情報として、「○○株式会社」としてメーカー名を表示したり、「○○ラウンド」として大当たり遊技におけるラウンド数を表示したり、「○カウント」として大当たり遊技１ラウンドあたりのカウント数を表示したり、いわゆるＳＴ機では「○○回」として確変最高継続回数を表示したりしてもよい。
【符号の説明】
【００６４】
１…パチンコ遊技機
２…遊技盤
３…遊技領域
５６…外レール部
５７…内レール部
５７ａ…内レール部の先端部
５８…球通路部
６０…バックストップ（規制部材）
６８…第１取付部
８５…表示板部
８６…弾性変形部（変形部）
８７…第２取付部
【図１】
0005752424.tif 000002
【図２】
0005752424.tif 000003
【図３】
0005752424.tif 000004
【図４】
0005752424.tif 000005
【図５】
0005752424.tif 000006
【図６】
0005752424.tif 000007
【図７】
0005752424.tif 000008
【図８】
0005752424.tif 000009
【図９】
0005752424.tif 000010
【図１０】
0005752424.tif 000011
【図１１】
0005752424.tif 000012
【図１２】
0005752424.tif 000013
【図１３】
0005752424.tif 000014
【図１４】
0005752424.tif 000015
【図１５】
0005752424.tif 000016